(57)【特許請求の範囲】
【請求項１】
エアバッグモジュールであって、
人を保護するべく膨張可能なエアバッグ（１０）と、
前記エアバッグ（１０）を膨張させるべくガス充填が可能とされた前記エアバッグ（１０）の内部空間（Ｉ）を規定する、前記エアバッグ（１０）のエアバッグカバー（２０）と、
前記エアバッグ（１０）を膨張させるのに必要なガスを供給するためのガス発生器（３０）と、
前記エアバッグ（１０）の前記内部空間（Ｉ）への前記ガス発生器（３０）の挿入を許容し、これにより前記ガス発生器（１０）で発生したガスが前記エアバッグ（１０）の前記内部空間（Ｉ）に流入するのを可能とする、前記エアバッグカバー（２０）の挿入開口（２１）と、
前記挿入開口（２１）を規定し、前記ガス発生器（３０）を環状に取り囲む境界領域（２２）と、
前記挿入開口（２１）をシールするためのシール手段（４０）と、
を備え、
前記シール手段（４０）は、前記シール手段（４０）が前記ガス発生器（３０）で発生したガスによって拡張されるとともに、前記挿入開口（２１）をシールするべく前記挿入開口（２１）の前記境界領域（２２）に対し押圧されるように、前記境界領域（２２）と前記ガス発生器（３０）との間に配置され、
前記シール手段（４０）は、少なくとも１つの柔軟な材料層（４５）から形成され、前記材料層（４５）の少なくとも１つの部位（４５ａ）が巻き付け方向（４６）に沿って巻き上げられ、これにより前記材料層（４５）は、前記ガス発生器（３０）用の収容部（４８）を規定する前記シール手段（４０）の環状壁部（４７）を形成し、
前記シール手段（４０）の、前記ガス発生器を一周する中間部（４２）は、前記材料層（４５）が前記巻き付け方向（４６）に沿って一周して重なっており、これにより前記環状壁部（４７）は、前記巻き付け方向（４６）に沿って延在する全外周（４９）に沿って、前記材料層（４５）の互いの表面に位置する層（４００，４０１）を少なくとも２つ有し、
前記シール手段（４０）は、前記中間部（４２）が前記挿入開口（２１）の前記境界領域（２２）に対し押圧されるように構成されていることを特徴とするエアバッグモジュール。
【請求項２】
請求項１に記載のエアバッグモジュールであって、
前記シール手段（４０）の前記中間部（４２）は、前記ガス発生器（３０）の少なくとも１つの流出開口（３１）に関し、前記少なくとも１つの流出開口から流出したガスが前記中間部（４２）に衝突するよう配置され、前記中間部（４２）が、前記ガス発生器（３０）を前記挿入開口（２１）に挿入する挿入方向に垂直な横断面に関し断面を拡張することを特徴とするエアバッグモジュール。
【請求項３】
請求項１又は２に記載のエアバッグモジュールであって、
前記シール手段（４０）は、前記中間部（４２）に接続された第１端部（４１）を備えていることを特徴とするエアバッグモジュール。
【請求項４】
請求項３に記載のエアバッグモジュールであって、
前記シール手段（４０）は、クランプ要素（５０）によって前記ガス発生器（３０）に固定されており、前記クランプ要素（５０）は、前記ガス発生器（３０）に対し前記第１端部（４１）を押圧する構成とされ、これにより前記シール手段（４０）は、前記シール手段（４０）の前記第１端部（４１）が前記ガス発生器（３０）に当接することを特徴とするエアバッグモジュール。
【請求項５】
請求項３又は４に記載のエアバッグモジュールであって、
前記シール手段（４０）の前記第１端部（４１）は、前記エアバッグ（１０）の前記内部空間（Ｉ）の外側に配置されることを特徴とするエアバッグモジュール。
【請求項６】
請求項３ないし５のうちのいずれか一項に記載のエアバッグモジュールであって、
前記環状壁部（４７）を形成する前記材料層（４５）の層（４００，４０１）は、前記シール手段（４０）の前記第１端部（４１）が前記シール手段（４０）の前記中間部（４２）よりも拡張しないように互いに接続されていることを特徴とするエアバッグモジュール。
【請求項７】
請求項３ないし６のうちのいずれか一項に記載のエアバッグモジュールであって、
前記シール手段（４０）の前記第１端部（４１）は、前記エアバッグ（１０）の前記内部空間（Ｉ）内に配置される前記シール手段（４０）の第２端部（４３）に前記中間部（４２）を介して接続されていることを特徴とするエアバッグモジュール。
【請求項８】
請求項７に記載のエアバッグモジュールであって、
前記ガス発生器（３０）で発生したガスを拡散させるべく、ディフューザ（３３）が前記シール手段（４０）の前記第２端部（４３）と一体状に形成されていることを特徴とするエアバッグモジュール。
【請求項９】
エアバッグを製造するための方法であって、
エアバッグ（１０）を膨張させるべくガス充填が可能とされた前記エアバッグ（１０）の内部空間（Ｉ）を規定する前記エアバッグ（１０）のエアバッグカバー（２０）を準備するステップと、
少なくとも１つの柔軟な材料層（４５）の少なくとも１つの部位（４５ａ）を巻き付け方向（４６）に沿って巻き上げることにより、ガス発生器（３０）用の収容部（４８）を規定する環状壁部（４７）を有し、ガス発生器（３０）を一周する中間部（４２）は、前記材料層（４５）が前記巻き付け方向（４６）に沿って一周して重なっており、これにより前記環状壁部（４７）が、前記巻き付け方向（４６）に沿って延在する全外周（４９）に沿って、前記材料層（４５）の互いの表面に位置する層（４００，４０１）を少なくとも２つ有するシール手段（４０）を形成するステップと、
シール手段（４０）を前記エアバッグカバー（２０）の挿入開口（２１）へ挿入し、これにより前記挿入開口（２１）を規定する前記挿入開口（２１）の境界領域（２２）が、前記シール手段（４０）の中間部（４２）を環状に取り囲むステップと、
前記ガス発生器（３０）を前記シール手段（４０）の前記収容部（４８）に挿入し、前記ガス発生器（３０）で発生したガスが、前記エアバッグ（１０）の前記内部空間（Ｉ）に流入可能とされ、また前記中間部（４２）を拡張可能とし、これにより前記挿入開口（２１）の前記境界領域（２２）に対し前記中間部（４２）を押圧するステップと、
を含むことを特徴とする方法。
【発明の詳細な説明】
【技術分野】
【０００１】
本発明は、請求項１の前文に記載の、特に車両用のエアバッグモジュールに関するものである。
【背景技術】
【０００２】
そのようなエアバッグモジュールは、特に車両乗員を保護する機能を果たし、例えば側面衝突のような衝突の際、車両乗員と、車両の側面窓ガラス又は車両構造部の側方ピラー、或いは別の車両部分及び／又は車両に侵入する障害物との衝突が阻止される。
【０００３】
所定のエアバッグ装置（また、エアバッグモジュールの形態）を基礎とした車両用のそのような保護装置が一般的に知られている。通常は、そのような保護装置は、例えば車両の前方シートに着座している車両乗員ひとりを保護する機能を有するばかりでなく、複数の車両乗員、特に車内で並んで着座している乗員を（同時に）保護する機能を有し、エアバッグ装置（エアバッグモジュール）の形態の保護装置は、例えば正面の前方に延在するのみならず、車両の少なくとも１つの後方窓ガラスの前方においても延在し、例えば車両方向に沿って、車両のいわゆるＡピラーからＢピラーを介してＣピラー又はＤピラーに至るまで延在する。勿論、運転席エアバッグ装置又は助手席エアバッグ装置にもなり得る。
【０００４】
そのようなエアバッグ装置又はエアバッグモジュールのエアバッグは、衝突時に保護される乗員又は人の異なる身体部分、特には乗員の頭部又は胸部を保護することが可能とされる。
【０００５】
そのようなエアバッグモジュールは、人を保護するべく車内又は車両上において膨張可能とされるエアバッグと、エアバッグを膨張させるべくガス充填可能なエアバッグの内部空間を取り囲むエアバッグのエアバッグカバーと、エアバッグの膨張に必要なガスを発生させるためのガス発生器と、エアバッグカバーの挿入開口を備え、ガス発生器は、前記挿入開口を通じてエアバッグの内部空間に挿入され、これによりガス発生器によって発生し、或いはガス発生器の外部へと流出したガスは、エアバッグの内部空間へと流入可能とされ、また挿入開口を規定しガス発生器を環状に取り囲む挿入開口の境界領域と、前記挿入開口をシールするためのシール手段を備える。
【０００６】
このため、挿入開口は、必然的に所定の縫い目、特にエアバッグ部を互いに折り畳む周辺の縫い目に配置することができず、エアバッグ部の切断外形から離間して配置可能とされる。特に、蝶形片の場合には、シール手段は、ガス発生器とともにエアバッグカバーの折り畳み縁部（折り畳み軸）に配置される。
【発明の開示】
【発明が解決しようとする課題】
【０００７】
本発明にかかる問題は、前述のタイプのエアバッグモジュールの場合に、エアバッグのうちガス発生器用の挿入開口を、簡便且つコスト効果の高い態様でシール可能とすることに基づいている。
【課題を解決するための手段】
【０００８】
この問題は、請求項１の特徴によって解決される。
【０００９】
これにより、シール手段は、境界領域と挿入開口に挿入されたガス発生器との間に配置され、エアバッグ膨張時において、シール手段は、前記挿入開口をシールするべくガス発生器からのガス流によって、挿入開口の前記境界領域に対し押圧される（自動シールされる）。
【００１０】
本発明における解決のために、ガス発生器を挿入開口又はシール手段に挿入することができ、その後に、エアバッグの内部空間の外側へと突出するガス発生器の接続側へと点火プラグが差込み可能とされる。更に、本発明における解決のために、予め一体状に組み付けられたモジュール又はエアバッグの中へとガス発生器を簡便に挿入することができ、またこのためガス発生器を正確に配置することができる。
【００１１】
好ましくは、シール手段は、当該シール手段のうち挿入開口の境界領域に沿ってガス発生器を一周する中間領域において、前記挿入開口の境界領域に対し押圧される。
【００１２】
好ましくは、ガス発生器は、挿入方向に沿って挿入開口に挿入され、シール手段の環状の中間部は、挿入方向に垂直な断面が広がる（拡張する）ように構成されるのが好ましく、或いは挿入開口の開口面に平行に延在する。このため、ガス発生器によって発生したガスが中間部に衝突し、また当該中間部をガス発生器から離間するように外側へ押圧し、これによりエアバッグカバーの挿入開口の環状の境界領域に対しシール状に押圧されるときに、シール手段が広がる（拡張する）ように構成されるのが好ましい。
【００１３】
ガス発生器によって発生したガスを吐出するために、ガス発生器は、好ましくは少なくとも１つの流出開口を備え、中間部が前記少なくとも１つの流出開口に関して配置され、前記中間部が前記少なくとも１つの流出開口に対向し、或いは流出開口から流出したガス流が中間部に衝突し、このため前記中間部の前記断面に関する前記拡張が生じる。
【００１４】
シール手段をガス発生器にシール状に固定するために、シール要素を取り囲むクランプ要素が設けられ、それによってシール要素は、特にエアバッグの内部空間の外側においてガス発生器に固定される。ここで、クランプ要素は一般的なクランプリングとされ得る。
【００１５】
好ましくは、シール手段は、当該シール手段の中間部に接続された第１端部を備え、この第１端部が、特にシール要素の前記中間部に一体状に形成される。このため、クランプ要素は、シール手段の第１端部をガス発生器に対して押圧するように構成配置されるのが好ましく、これによりシール手段は、シール要素の前記第１端部がガス発生器（特に、エアバッグの内部空間の外側）に対し強く当接する。
【００１６】
特に好ましくは、シール手段は、少なくとも１つの柔軟な材料層から製造され、前記材料層は、特にエアバッグカバーも製造可能とされるエアバッグ材料とされる。
【００１７】
特に好ましくは、材料層は所定の巻き付け方向に沿って巻き上げられ（シールスリーブ）、これにより材料層はシール要素の環状壁部を形成し、当該環状壁部はその一部においてガス発生器の収容部を規定する。特に、材料層は、巻き付け方向に沿って巻き上げられ、最終的なシール手段の中間部が巻き付け方向に沿って一周する。好ましくは、材料層は、巻き付け方向に沿って巻き上げられ、これにより更に部分的に重なり合い、即ち壁部の少なくとも一部に、材料層のうち互いに表面に配置される（挿入領域に沿って延在する）２つの領域を備え、これによりガス発生器から流出したガスが、ガス発生器を取り囲むシール手段の中間部に衝突したときに、中間部は断面において拡張可能とされる。材料層は巻き付け方向に沿って重なり、また重なり領域は、シール手段の全長に沿って互いに接続されず、前記重なり領域が中間部に導入された荷重に対応して相対的に（即ち、反対方向に）滑動可能であるため、材料層の中間部は当該部位にガスが衝突したときに拡張される。更に、中間部にガスが衝突することによって、重なり領域（層）間の距離が減少する。第２の部位の断面の増加（いわゆる、フィルムスプール効果）に伴って、第２の部位の、むしろ材料層のうち互いの表面に位置する領域（層）のこれら２つの動作が生じる。
【００１８】
このフィルムスプール効果は、材料層のうち互いに表面に位置する領域の数によって制御可能とされる。特に、壁部は、巻き付け方向に沿って延在するその全周に沿って、互いに表面に配置された少なくとも２つの層を有する構成とされる。少なくとも２つの層、多くて４つの層が設けられるのが好ましい。一方で、４つの層以上の層を設けることもできる。好ましくは、２と４分の１以上の層、即ち、２つの完全な環状層と、巻き付け方向に沿ってシール要素の外周の４分の１を覆うクォーター層の別の重なり部分とが設けられる。
【００１９】
特に好ましくは、巻く付け方向は挿入方向に交差して延在し、ガス発生器は、当該挿入方向に沿って、挿入方向と垂直に配置された挿入開口に挿入される。
【００２０】
シール手段を形成する材料層の巻き上げ状態を常時維持できるようにするためには、材料層のうちシール手段の壁部を形成し、且つ、互いの表面に位置する層が、シール手段の第１端部の領域及び／又はシール手段の第２端部の領域において（特に、互いの表面に位置する層を貫通する貫通縫い目によって）互いに接続され、各端部が巻き出し又は断面の拡張ができず、或いは中間部よりも拡張断面が小さい。特には、互いの表面に位置する層の前記接続部（貫通縫い目）のせん断又は引っ張りによって、端部の断面が僅かに拡張可能とされる。一方で、材料層のうち壁部を形成し、且つ、互いの表面に位置する層は、中間部に設けられていないので、中間部は拡張可能とされ、或いはガス発生器から流出したガスが中間部に衝突して、エアバッグの挿入開口の範囲を規定する境界領域に対して外方へ中間部を押圧した際には、フィルムスプール効果（上記参照）にしたがってより大きく拡張可能とされる。
【００２１】
好ましくは、シール手段の第１端部は、シール手段の中間部を介してシール手段の第２端部に接続され、前記第２端部は、特にエアバッグの内部空間内に配置されるとともに、特に中間部と一体状に形成される。好ましくは、シール要素は、エアバッグカバー内に、又はエアバッグの内部空間内に配置された第２端部を介して、特に縫い目によってエアバッグカバーに固定される。
【００２２】
本発明の一つの変更例では、ディフューザ（拡散器）が特に第２端部に固定されるように設けられ、前記ディフューザは、シール手段の第２端部と一体状に形成される。好ましくは、シール手段は、前記ディフューザを介してエアバッグのエアバッグカバーに取り付けられる。ディフューザは、ガス発生器によって発生したガスを拡散させる（案内する）ための機能を果たす。
【００２３】
特に好ましくは、ディフューザも形成可能な材料層は、エアバッグ材料、特には布地からなり、当該エアバッグ材料によってエアバッグカバーも製造可能とされる。
【００２４】
エアバッグを膨張させるための機能を果たすガス発生器は、所定の延在方向に沿って長尺状に延在するのが好ましく、前記ガス発生器は、特に管状のガス発生器として形成される。このため、長尺状に延在するとは、前記対象物の前記延在方向に沿った寸法の方が前記延在方向に交差する方向よりも大きいことを意味する。
【００２５】
好ましくは、前記延在方向が挿入方向と一致する、即ち管状のガス発生器の形態の所定のガス発生器の場合には、当該ガス発生器は、前面がエアバッグカバーの挿入開口に挿入される。
【００２６】
好ましくは、ガス発生器は、挿入開口を通じてエアバッグの内部空間に導入され、ガス発生器は、当該ガス発生器を駆動可能な車両側の電子機器に対し当該ガス発生器を接続するために、所定の自由端部においてエアバッグの内部空間の外側へと突出し、ガス発生器を車両側の電子機器に電気的に接続するための接点ユニットが、ガス発生器の前記自由端部に設けられる。
【００２７】
ガス発生器の挿入方向に沿ったエアバッグカバーの挿入開口への挿入を容易化するために、シール手段の第１端部は、漏斗形状に形成され、或いはガス発生器をシール手段へと案内又は配置するガイド要素を有するのが好ましい。従って、前記シール手段が最初に挿入開口へ挿入されるのが有利とされ、これにより好ましくは漏斗形状に形成されるシール手段の第１端部は、前記エアバッグカバー外へ突出して、挿入されるガス発生器にその第１端部が対向する。このとき、ガス発生器は、（その前面が）シール手段の（漏斗形状の）第１端部に挿入され、従って同時に挿入方向と交差する所定面に配置される。このため、ガス発生器は、ガス発生器から流出したガスがシール手段の中間部に衝突し、また挿入開口の範囲を定める境界領域がガス発生器を断面にて取り囲むまで、エアバッグの内部空間に挿入される。
【００２８】
本発明の一つの変更例では、エアバッグカバーは少なくとも２つのエアバッグ部からなり、エアバッグカバーが平坦状に広げられ、平坦状に広げられた互いの表面に２つのエアバッグ部が位置する状態では、当該２つのエアバッグ部は、エアバッグカバーのうち挿入方向に沿って延在する最も外側の境界部に沿って互いに一体状に形成される（いわゆる蝶形片）。即ち、２つのエアバッグ部は、前記境界部に沿って延在する折り畳み軸に沿って互いに折り畳まれ、また互いに接続されていない２つのエアバッグ部の境界部は、そのときに互いに接続されてエアバッグカバーを形成し、前記接続部が特に縫い目によって形成される。
【００２９】
このため、本発明の一つの変更例では、ガス発生器（及びシール手段）の前記挿入開口は、挿入方向に沿って延在する前記境界領域と交差する切り欠きによって形成され、当該切り欠きは、境界部を第１及び第２の部位に分割し、第１の部位は、エアバッグの内部空間に向けて折り込まれ、これによりエアバッグカバーの挿入開口の境界領域は、切り欠きのうち境界部の切断後に互いに対抗する境界によって形成され、折り込まれた第１の部位は、ガス発生器のための断面Ｕ字形状の収容部を形成し、シール手段の挿入時にガス発生器に当接し、これにより前記折り込まれた第１の部位は、少なくとも一部が挿入方向に交差してガス発生器を取り囲む。
【００３０】
好ましくは、ガス発生器を保持するために、エアバッグカバーに固定され、挿入方向に沿って挿入開口に対向するループが設けられ、前記ループは、折り込まれた第１の部位とともにガス発生器及びシール手段を、挿入方向に垂直に延在する所定面に関して環状に取り囲む。このため、ループ及び折り込まれた第１の部位は、挿入方向に交差して互いに対向し、ループは、ガス発生器のうちエアバッグの内部空間とは反対側の上面に対し当接し、また折り込まれた第１の部位は、ガス発生器のうちエアバッグの内部空間に対向する下面に対し当接する。
【００３１】
更に、本発明にかかる問題は、エアバッグを製造するための方法によって解決され、本発明にかかる方法に含まれるステップとして、エアバッグを膨張させるためにガスでの充填が可能とされたエアバッグの内部空間を取り囲むエアバッグのうちエアバッグカバーを準備するステップと、シール手段を挿入開口へ挿入し、これによりシール手段が挿入開口のうち、挿入開口の範囲を定める境界領域に対しシール手段の中間部を介して当接するステップと、ガス発生器をシール手段に挿入し、ガス発生器で発生したガスがエアバッグの内部空間に流入可能とし、また挿入開口の範囲を定める境界領域がシール手段の中間部の挿入時にガス発生器を環状に取り囲み、これにより挿入開口をシールするべく、中間部に衝突したガスが前記境界領域に対して前記中間部を押圧するステップとを含む。
【００３２】
シール手段を形成するために、平らな材料層が好適に設けられ、この材料層は、シール手段を形成するために巻き付け方向に沿って巻かれて、材料層の少なくとも２つの層が巻き付け方向に沿って重なるのが好ましく、また前記シール手段（材料層）は、巻き付け方向と交差する挿入方向に沿って挿入開口へと挿入されて、挿入開口の前記境界領域は、シール手段の中間部を環状に取り囲む。材料層は、特に巻き付け方向に沿って巻き上げられ、シール手段は、中間部を介して互いに接続される、即ち、互いに一体状に形成される第１及び第２の境界部を備える。このため、材料層のうち第１及び／又は第２境界部にて互いの表面に位置する部位は、シール手段が各境界部の領域で巻き出し又は断面の拡張ができず、或いは端部の断面の拡張がシール手段の中間部の拡張よりも小さくなるように、互いに取り付けられるのが好ましい。
【００３３】
好ましくは、ガス発生器はシール手段の中間部に対して、中間部がガス発生器の少なくとも１つの流出開口に対向し、或いはガス発生器から流出したガスが中間部に衝突して圧力を作用させるように配置され、これにより中間部は、ガス発生器を一周する挿入開口の境界部に向けて荷重を受け、またこの境界領域にシール状に当接可能とされる。
【００３４】
本発明の更なる詳細及び有利な点は、図面に基づく以下の実施形態の記載によって明確化される。
【図面の簡単な説明】
【００３５】
【図１】本発明にかかるエアバッグモジュールのシール手段を示す斜視図である。
【図２】本発明にかかる図１に示すエアバッグモジュールのシール手段の変更例を示す斜視図である。
【図３】本発明にかかる図１に示すエアバッグモジュールのシール手段の変更例を示す斜視図である。
【図４】本発明にかかる図１に示すエアバッグモジュールのシール手段の変更例を示す斜視図である。
【図５】本発明にかかるエアバッグモジュールのシール手段の別の変更例を示す図である。
【図６】本発明にかかるエアバッグモジュールの漏斗形状のシール手段を、シール手段の漏斗形状の領域へと導入されるガス発生器とともに示す図である。
【図７】本発明にかかるエアバッグモジュールのエアバッグの断片図ないし斜視図であって、エアバッグの挿入開口がエアバッグのエアバッグカバーの境界領域での切断によって形成される様子を示す図である。
【図８】本発明にかかるエアバッグモジュールのエアバッグの断片図ないし斜視図であって、エアバッグの挿入開口がエアバッグのエアバッグカバーの境界領域での切断によって形成される様子を示す図である。
【図９】本発明にかかるエアバッグモジュールのエアバッグの断片図ないし斜視図であって、エアバッグの挿入開口がエアバッグのエアバッグカバーの境界領域での切断によって形成される様子を示す図である。
【図１０】本発明にかかるエアバッグモジュールのエアバッグの断片図ないし斜視図であって、エアバッグの挿入開口がエアバッグのエアバッグカバーの境界領域での切断によって形成される様子を示す図である。
【図１１】本発明にかかるエアバッグモジュールのエアバッグの断片図ないし斜視図であって、エアバッグの挿入開口がエアバッグのエアバッグカバーの境界領域での切断によって形成される様子を示す図である。
【図１２】車両乗員の頭部保護用のエアバッグ装置へと組み立て可能な組み立てキットの個々の構成要素を示す図である。
【図１３】図１２における構成要素から組み立てられたエアバッグ装置の一例を示す図である。
【図１４】頭部保護装置を形成するべく組み立て可能なエアバッグ装置の構成要素を詳細に示す図である。
【図１５ａ】頭部保護装置を形成するべく組み立て可能なエアバッグ装置の構成要素の第３の実施形態を示す図である。
【図１５ｂ】図１５ａの構成要素からなる頭部保護機能を有するエアバッグ装置を示す図である。
【図１６ａ】頭部保護装置を形成するべく組み立て可能なエアバッグ装置の構成要素の第４の実施形態を示す図である。
【図１６ｂ】図１６ａの構成要素からなる頭部保護機能を有するエアバッグ装置を示す図である。
【図１７ａ】頭部保護装置としての機能を有するエアバッグ装置の互いに支持可能な２つのモジュールを示す図である。
【図１７ｂ】図１７ａのモジュールが互いに支持された状態を示す図である。
【図１８ａ】図１７ａに示す装置の変更例を示す図である。
【図１８ｂ】図１７ｂに示す装置の変更例を示す図である。
【図１９】組み立てキットの原理にしたがって組み付け可能なエアバッグ装置の２つの構成要素を互いに支持するための別の例を示す図である。
【図２０ａ】組み立てキットの原理にしたがって組み付け可能なエアバッグ装置の組み付け要素のための接続手段の使用に関する実施形態を示す図である。
【図２０ｂ】組み立てキットの原理にしたがって組み付け可能なエアバッグ装置の組み付け要素のための接続手段の使用に関する実施形態を示す図である。
【図２０ｃ】組み立てキットの原理にしたがって組み付け可能なエアバッグ装置の組み付け要素のための接続手段の使用に関する実施形態を示す図である。
【図２１ａ】エアバッグ装置に取り付けフラップを配置固定するための実施形態を示す図である。
【図２１ｂ】エアバッグ装置に取り付けフラップを配置固定するための実施形態を示す図である。
【図２１ｃ】エアバッグ装置に取り付けフラップを配置固定するための実施形態を示す図である。
【図２２ａ】図２１ａの実施形態の第１の変更例を示す図である。
【図２２ｂ】図２１ｂの実施形態の第１の変更例を示す図である。
【図２２ｃ】図２１ｃの実施形態の第１の変更例を示す図である。
【図２３ａ】図２１ａから図２１ｃの実施形態の第２の変更例を示す図である。
【図２３ｂ】図２１ａから図２１ｃの実施形態の第２の変更例を示す図である。
【図２３ｃ】図２１ａから図２１ｃの実施形態の第２の変更例を示す図である。
【図２３ｄ】図２１ａから図２１ｃの実施形態の第２の変更例を示す図である。
【図２４ａ】図２１ａから図２１ｃの実施形態の第３の変更例を示す図である。
【図２４ｂ】図２１ａから図２１ｃの実施形態の第３の変更例を示す図である。
【図２４ｃ】図２１ａから図２１ｃの実施形態の第３の変更例を示す図である。
【図２４ｄ】図２１ａから図２１ｃの実施形態の第３の変更例を示す図である。
【図２５】図２１ａから図２１ｃに示すタイプの取り付けフラップを有する頭部保護装置としての機能を果たすエアバッグ装置を示す図である。
【図２６ａ】エアバッグ装置に取り付けフラップを配置固定するための別実施の形態を示す図である。
【図２６ｂ】エアバッグ装置に取り付けフラップを配置固定するための別実施の形態を示す図である。
【図２７】頭部保護装置としての機能を果たすエアバッグ装置の２つの膨張可能領域に接続された接続チャンネルに、ガス発生器を配置するための一例を示す図である。
【図２８ａ】エアバッグ装置のガス発生器から流出するガス流を分配するための円筒形状のガス流分散器の第１の実施形態を示す図である。
【図２８ｂ】エアバッグ装置のガス発生器から流出するガス流を分配するための円筒形状のガス流分散器の第２の実施形態を示す図である。
【図２９ａ】ガス発生器から流出する高温ガスに対して、エアバッグ装置の接続チャンネルの布地を保護するための包装保護層の第１の実施形態を示す図である。
【図２９ｂ】ガス発生器から流出する高温ガスに対して、エアバッグ装置の接続チャンネルの布地を保護するための包装保護層の第１の実施形態を示す図である。
【図３０ａ】図２９ａの配置においてガス発生器からのガス吐出後を示す図である。
【図３０ｂ】図２９ｂの配置においてガス発生器からのガス吐出後を示す図である。
【図３１ａ】ガス発生器から流出する高温ガスに対して、エアバッグ装置の接続チャンネルの布地を保護するための第２の実施形態の巻き付け保護層を示す図である。
【図３１ｂ】ガス発生器から流出する高温ガスに対して、エアバッグ装置の接続チャンネルの布地を保護するための第２の実施形態の巻き付け保護層を示す図である。
【図３２ａ】断面が楕円形とされ、且つ同時にガス流分散器としての機能を果たす収容体を示す図である。
【図３２ｂ】断面が楕円形とされ、且つ同時にガス流分散器としての機能を果たす収容体を示す図である。
【図３２ｃ】断面が楕円形とされ、且つ同時にガス流分散器としての機能を果たす収容体を示す図である。
【図３３】熱抵抗材料層を支持する布地管を有するエアバッグ装置の接続チャンネルの断面を示す図である。
【発明を実施するための形態】
【００３６】
図１には、本発明にかかるエアバッグモジュールのシール手段４０（「気密手段」ともいう）が示されており、このシール手段は、エアバッグ１０のエアバッグカバー２０の挿入開口２１をシールする（「密閉する」ないし「密封する」ともいう）ように構成配置されており、エアバッグ１０のエアバッグカバー２０の前記挿入開口２１は、ガス発生器３０をエアバッグカバー２０によって規定される内部空間Ｉへと挿入する機能を果たし（図４及び図６参照）、前記ガス発生器３０は、所定の挿入方向２３に沿って挿入開口への挿入が許容される。
【００３７】
シール手段４０は、エアバッグ材料から形成可能とされた柔軟な材料層４５からなり、そのエアバッグ材料から特にエアバッグ１０のエアバッグカバー２０もまた製造可能とされる。この材料層４５は、平坦状に広げられた状態からはじめて、巻き付け方向４６に沿って巻き上げられ、これにより特に、シール手段４０の中空円筒形状の壁部４７が形成され、この壁部がガス発生器３０のための収容部（収容体）を規定する。このため、好ましくは材料層４５が巻き付け方向４６に沿って巻き上げられて、材料層４５が巻き付け方向に沿って部分的に重なり、即ち特にシール手段４０の壁部４７は、巻き付け方向４６に沿って一周するその外周４９に沿って、材料層のうちの各表面に配置された２つの層４００，４０１を常時に備えている。従って、シール手段４０の壁部４７は、二層構造として構成されるのが好ましい。壁部４７は更に、前記挿入方向２３に沿って長尺状に延在し、また前記挿入方向２３に交差して（を横切って）一周し、これによりシール手段４０の収容部４８は、挿入開口２１へのシール手段４０の挿入時に、挿入方向２３に沿って挿入開口２１と一列をなす。
【００３８】
シール手段４０は、前記挿入方向２３に沿って３つの部位に分割され、即ち第１端部４１と、挿入方向２３に沿って第１端部４１に対向する第２端部４３に分割され、そこで２つの端部４１，４３が、シール手段４０の中間部４２を介して互いに接続されている。シール手段４０は、図４に示されるように前記挿入方向２３に沿って、エアバッグカバー２０の挿入開口２１へのエアバッグ１０の内部空間Ｉに挿入され、これによりエアバッグカバー２０のうち挿入開口２１の境界を規定する境界領域２２は、シール手段４０の中間部４２を環状に取り囲む。このため、シール手段４０の第２端部４３は、エアバッグ１０の内部空間Ｉに配置され、またシール手段４０の第１端部４１は、エアバッグ１０の内部空間Ｉの外側へと挿入方向２３に沿って（向かって）突出している。
【００３９】
図６によれば、ガス発生器３０は挿入方向２３に沿ってシール手段４０の収容部４８へと挿入され、特には管状のガス発生器３０が延在方向Ｅに沿って延在している。このため、管状のガス発生器３０の延在方向Ｅは、挿入方向２３に一致している。ガス発生器３０は、挿入方向２３に沿ってシール手段４０の収容部４８に挿入され、ガス発生器３０の外部へのガス流出を可能とするべくガス発生器３１に形成された流出開口３１は、挿入方向２３に垂直に延在する所定平面についてシール手段４０によって取り囲まれ、或いは換言すれば、前記流出開口３１は、シール手段４０の収容部４８内に配置される。ガス発生器がエアバッグ１０を膨張させるためのガスを供給する場合、流出開口３１から流出したガスは、挿入方向２３に交差して延在する方向に沿って、シール手段４０の中間部４２に衝突し、これにより中間部４２は、中間部４２を取り囲んでいる挿入開口２１の境界領域２２によって好ましくはシール状に押圧される。シール要素４０及び特にシール要素４０の中間部４２は、巻き付けられた材料層４５からなるため、中間部４２の断面ないし断面積は、挿入方向２３に垂直に延在する前記平面に関して拡張可能とされる。これは、材料層４５の層４００，４０１は、互いに隣接しているのみであって、互いに取り付け固定されていないことによるものである。従って、シール部材４０の中間部４２に収容部４８の方向（ガス発生器から流出するガス）から所定の圧力が作用した場合、層４００，４０１は、互いに反対方向に、即ち中間部４２の前記断面ないし断面積の拡張時に（図２が参照される、いわゆるフィルムスプール効果で）互いに滑動する。
【００４０】
材料層４５の巻き上げ状態を維持可能とするべく、シール手段４０の少なくとも第１端部４１において接続部Ｖ（特に、縫い目）によって、シール手段４０の層４００，４０１が互いに固定される。特に、そのような接続部Ｖ’がシール手段４０の第２端部４３にも設けられる（図３から図４参照）。このため、シール手段４０は、挿入開口２１の断面領域のみを広げることができ、好ましくはエアバッグカバー２０の挿入開口２１の境界領域２２にシール状に当接する。このため、前記シール手段４０は自動シールとして形成される。
【００４１】
挿入方向２３に沿って、或いはむしろ延在方向Ｅに沿って、ガス発生器３０をシール手段４０の収容部４８に容易に挿入するために、図６に示す変更例のシール手段４０の第１端部４１は、漏斗形状に形成され、或いは挿入方向２３に交差して互いに対向し、且つ、挿入方向２３と反対に分岐するガイド要素４８ａ及び４８ｂを有し、これによりシール手段４０の収容部４８のうちガス発生器４０に対向する開口部が効果的に広げられる。従って、シール手段４０の第１端部４１の収容部４８の前記開口部へのガス発生器３０の挿入時に、ガス発生器３０は、収容部４８又はエアバッグカバー２０の挿入開口２１への挿入時に挿入方向２３に交差して配置される前記ガイド要素４８ａ，４８ｂによってガイド（案内）される。
【００４２】
図１から図４によれば、シール手段は、エアバッグ１０の内部空間Ｉに挿入されたシール手段４０の第２端部４３を介して、即ち好ましくは縫い目による接続によって、エアバッグカバー２０に固定されるのが好ましい。
【００４３】
図５には、図１から図４に示すシール手段４０の変更例が示されており、図１から図４とは対照的に、ディフューザ（拡散器）３３がシール手段４０の第２端部４３に一体状に固定されており、当該ディフューザは、ガス発生器３０によって発生したガスをエアバッグ１０の内部空間Ｉへと拡散ないし分散させる機能を果たす。
【００４４】
これと同様の構成要素を形成するために、材料層４５の第１の部位４５ａが上述のように巻き上げられる（図１から図４参照）。従って、材料層４５の前記第１の部位４５ａは、材料ブリッジ部４５ｃを介して材料層４５の第２の部位４５ｂと一体状に形成され、当該材料ブリッジ部は、材料層４５の第１の部位４５ａとは対照的に巻き上げられないが、挿入方向２３に沿って配置された折り畳み軸３４に沿って、互いの表面が合致するように折り畳まれ、これにより材料層４５の第２の部位４５ｂは、互いに合致するように折り畳まれる２つの拡散部４５ｃ，４５ｄに分割される。これら２つの拡散部４５ｃ，４５ｄはそれぞれ、挿入方向２３に交差して折り畳み軸４５に対向する境界部３３ｂを備え、この境界部３３ｂに沿って２つの拡散部４５ｃ，４５ｄが接続部Ｎ（特に、縫い目）によって互いに接続されている。更に、これら２つの拡散部４５ｃ，４５ｄはそれぞれ、挿入方向２３に沿って互いに対向し、且つ、境界部３３ｂにそれぞれ連接する２つの境界部３３ｃ，３３ａを備えている。２つの拡散部４５ｃ，４５ｄはこれら境界部３３ａ，３３ｃに沿っては互いに接続されず、これによりこれら境界部３３ａ，３３ｃは、ディフューザ３３のうち挿入方向２３に沿って互いに対向する第１開口Ｏ及び第２開口Ｏ’を規定し、或いは範囲を定める。従って、ディフューザ３３は、ガス発生器３０から流出したガス流を、ディフューザ３３からそれぞれ第１開口Ｏ及び第２開口Ｏ’を通じて流れる反対方向の２つのガス流に分割することができる。２つの拡散部４５ｃ，４５ｄを折り畳み軸３４に沿って互いに簡単に折り畳み可能とするべく、材料ブリッジ部４５ｃは、（材料層４５の２つの部位４５ａ，４５ｂが平坦状に広げられた状態に関して）巻き付け方向４６に沿った部位４５の延在部分、又は拡散部４５ｃ，４５ｄの挿入方向２３を横切る延在部分よりも小さくなるように形成される。
【００４５】
前述のシール手段４０或いはディフューザ３３は、側部エアバッグ又は頭部エアバッグに適用するのに特に適しており、その場合には、ガス発生器３０から流出したガスが少なく２つのチャンバーにわたって拡散されなければならない。このため、２つのチャンバーのうちの１つのチャンバーはガス発生器３０の第１開口Ｏに対して、また他方にチャンバーはガス発生器３０の第２開口Ｏ’に対して、ガス誘導（ガス流通）の形態で接続される。
【００４６】
図７には、図８から図１１に関連して、本発明にかかるエアバッグモジュールの挿入開口２１の変更例が示されており、いわゆるバタフライ片（蝶形片）を有するエアバッグ１０に特に適している。ここで、エアバッグ１０は、互いに一体状に形成されたエアバッグ層２００，２０１を備え、当該エアバッグ層は、２つのエアバッグ部の前記一体状の接続部に沿って延在する折り畳み軸３４に沿って互いに合致して折り畳まれ、これによりエアバッグカバー２０のうち挿入方向２３に沿って延在する境界部２０２によって、前記エアバッグ部２００，２０１が互いに一体状に形成される。エアバッグカバー２０を形成するべく、前記２つのエアバッグ部２００，２０１は、それらの最外部の境界部に沿って互いに接続される。
【００４７】
そのようなエアバッグで挿入開口２１を形成するためには、エアバッグカバー２０のうち挿入方向２３に沿って延在する境界部２０２が挿入方向２３に交差して（横切って）切断され、これにより当該境界部は、挿入方向２０３に交差して延在する切り欠き２１０を備える。
【００４８】
このため、この切り欠き２１０によって、エアバッグカバー２０の境界部２０２が、挿入方向２３に沿って互いに対向する第１の部位２０２ａと第２の部位２０２ｂとに分割される。このため、第１の部位２０２ａは、挿入方向２３に交差してエアバッグ１０の内部空間Ｉに向けて折り込まれ、これにより切り欠き２１０は、図８及び図９にしたがって、エアバッグカバー２０の挿入開口２１の環状の境界領域２２を形成する。更に、エアバッグカバー２０の境界部２０２の折り込まれた第１の部位２０２ａは、ガス発生器３０を収容するために設けられる、特に断面がＵ字形状の収容部を形成する。
【００４９】
さて、図１から図４、又は図５に示されるように、シール手段４０は、挿入開口２１に対し挿入方向２３に沿って挿入可能とされ、或いは配置可能とされる。このシール手段４０は、シール手段の第２端部４３を介して、或いはそれに一体状に形成されたディフューザ３３を介して、エアバッグカバー２０において固定され、即ち、エアバッグカバー２０のうち延在方向Ｅ又は挿入方向２３に沿って延在する境界部２０２の（折り込まれていない）第２の部位２０２ｂにおいて固定されるのが好ましい。
【００５０】
折り込まれた第１の部位２０２ａによって形成された収容部に、シール手段４０を含むガス発生器３０を保持するためには、ループ２２０が設けられる（図１１参照）。前記ループ２２０は、前記ループ２２０をエアバッグカバー２０に固定するための２つの対向する自由端部２２０ａ，２２０ｂを備えており、これにより挿入方向２３に沿ってエアバッグカバー２０の挿入開口２１に対向し、且つ、折り込まれた第１の部位２０２ａ、ガス発生器３０及びシール手段４０を環状に取り囲む。このため、ガス発生器３０は、挿入開口２１に関しエアバッグカバー２０に確実に固定される。
【００５１】
図１２には、車両乗員用の頭部保護装置の形態のエアバッグ装置の製造に使用可能な構成要素の組み立てキットが示されている。
【００５２】
これにより、ｉ）においては、大きさ及び形状が異なる複数の材料層又は材料部品（エアバッグ層／エアバッグ部品）が示されており、当該材料層は、膨張状態においてガスクッションを形成するエアバッグ装置の膨張可能領域（「膨張領域」ともいう）を製造する機能を果たすことができる。これらエアバッグ層は、特に布地層（ないし繊維層）として構成され得る。エアバッグ層が本質的に矩形の設計とされるため、エアバッグ層は、例えば布地ロールのような材料ウェブ（織布）を最小の切片で打ち抜くことによって得ることができる。
【００５３】
ｉｉ）に関し、異なる別の複数の材料層又は布地層が示されており、当該材料層は、エアバッグ装置のうち隣接する膨張可能領域を（流通）接続可能とする接続チャンネルを形成する機能を果たす。
【００５４】
ｉｉｉ）においては、エアバッグ装置に張力を付与する機能を果たす複数のテンションバンドが最終的に示されており、このため当該テンションバンドは、例えばエアバッグ装置の異なる要素、及び／又は所定の車両構部と係合する。
【００５５】
最後に、図中のｉｖ）には、エアバッグ装置を車両構造部に取り付けるのに使用可能な複数の取り付けフラップが示されている。
【００５６】
図１２に示されるような、膨張可能な複数のエアバッグ領域用、及び膨張可能な複数のエアバッグ領域間の接続チャンネル用の材料層の形態の構成要素と、テンションバンド及び取り付けフラップの形態の構成要素から、例えばエアバッグ装置が使用される車両タイプに依存する要請に応える所定のエアバッグ装置を製造するため構成要素がそれぞれ選択される。
【００５７】
図１３には、図１２に示されるタイプの構成要素から組み合わせられた頭部保護装置の形態のエアバッグ装置が示されており、前記構成要素は、例えば同様のエアバッグ装置を形成するべく、互いに縫合し及び／又は接着することによって、互いに接続されている。
【００５８】
図１３によれば、結果的に形成されるエアバッグ装置は、２つの膨張可能領域１ａ，１ｂを備え、エアバッグ装置が車両に組み込まれた状態では、当該膨張可能領域は、車両長軸ｘに沿って互いに離間し、また接続チャンネル２（接続領域）を介して互いに流通接続される（流体の流れに関し接続される）。従って、エアバッグ装置の膨張可能領域１ａ，１ｂ及び接続チャンネル２は、図１２中のｉ）及びｉｉ）に示される種類の材料層によって形成される。
【００５９】
更に、取り付けフラップ４（「取り付け片」ともいう）は、エアバッグ装置の膨張可能領域１ａ，１ｂから、またそれらの接続チャンネル２から突出し、膨張可能領域１ａ，１ｂ及び接続チャンネル２とは別個の要素とされ、より詳細には以下に記載されるように、適宜の方法によってエアバッグ装置の前記構成要素１ａ，１ｂ，２に固定可能とされる。最後に、複数のテンションバンド３が設けられ、そのうちの１つは、エアバッグ装置の２つの膨張可能領域１ａ，１ｂを接続する機能を有し、またそのうちの別の２つは、車両構造部に関し膨張状態のエアバッグ装置に張力を付与し、またこれにより事故の場合に車両乗員を拘束するための最適条件が達成可能となるように、エアバッグ装置の膨張可能領域１ａ，１ｂのそれぞれを車両構造部に接続するよう構成されている。
【００６０】
図１３に示すエアバッグ装置は、予め一体化された構成要素の組み立てキットから形成され、当該構成要素は、エアバッグ装置の膨張可能領域１ａ，１ｂ及び接続チャンネル２を形成するべく、一方では材料層又は材料部品（エアバッグ層）とされる。更に、それらとは別個の構成要素として、取り付けフラップ４及びテンションバンド３は、図１３に示すエアバッグ装置を製造するための組み立てキットの構成部材とされる。
【００６１】
図１３によって、エアバッグ装置の２つの膨張可能領域１ａ，１ｂが、前記２つの膨張可能領域１ａ，１ｂの間に位置する接続チャンネル２よりも広範囲にわたり車両垂直軸ｚに沿って延在することが、更に明確化される。このため、エアバッグ装置の２つの膨張可能領域１ａ，１ｂのそれぞれは、事故の場合に車両乗員を保護するための広範囲のガスクッションを形成し、このガスクッションによって、特に、車両の少なくとも側面窓ガラスが広範囲で被覆可能とされる。これに対して、接続チャンネル２は、車両垂直軸ｚに沿って非常に狭い範囲に延在する。従って、接続チャンネル２は、エアバッグ装置が車両に組み付けられた状態では、車両乗員の衝突が予測されない有利な位置に配設される。
【００６２】
その上、図１３には、車両の側面構造部の部分、すなわち２つの側面窓ガラスＦａ，ＦｂとともにＡピラー、Ｂピラー及びＣピラーが破線で示されており、（一部が）エアバッグ装置によって被覆されている。このため、エアバッグ装置の膨張可能領域１ａ，１ｂは、側面構造部のこれらの部分、すなわちガラスＦａ，ＦｂをＡピラー、Ｂピラー及びＣピラーとともに被覆し、事故の際に車両乗員の頭部が当該部分に衝突可能とされる。
【００６３】
具体的には、エアバッグ装置の２つの膨張可能領域１ａ，１ｂは、互いに分離されるように形成され、当該膨張可能要素はそれぞれ、図１３に示すように、図１２のｉ）に示される種類の２つの材料層又は布地層からなり、例えば互いに（例えば、縫合によって）接続されて、エアバッグのうちガスが充填可能とされる膨張可能領域をそれぞれ規定し、材料層のうちの１つが車両側面構造部、すなわち窓ガラスＦａ，Ｆｂ及びピラーＡ，Ｂ，Ｃを形成する構造部に対向し、また別の反対側の材料層は、車室空間、すなわち特に保護される車両乗員に対向する。
【００６４】
図１４には、図１３における装置がより詳細に示されている。ここでは、膨張可能領域１ａ，１ｂにおいて、また同様に接続チャンネル２、テンションバンド３、及び取り付けフラップ４において、縫い目Ｎ（「接続線」、「接合線」ないし「継ぎ目」ともいう）を認めることができ、エアバッグ装置の個別の構成要素１ａ，１ｂ，２，３，４を互いに取り付ける機能を果たす。
【００６５】
このため、膨張可能領域１ａ，１ｂと接続チャンネル２とにおけるこの縫い目Ｎは、材料層又は布地層を互いに接続する機能も果たし、これによりそれぞれの膨張可能領域１ａ，１ｂ又は接続チャンネル２が形成される。特には、これらは２つの布地層とされ、その布地層のうちの一方は、エアバッグ装置が車両に組み付けられた状態では、車両の側面構造部、すなわち特に、窓ガラス及び／又はピラーを形成する構造部のうちの１つに対向し、またその布地層のうちの他方は、車室内と、特に保護される車両乗員の頭部とに対向する。
【００６６】
更に、図１４には、タックＡが認められ、エアバッグ装置の膨張可能領域１ａ，１ｂを形成する２つの材料層又は布地層は、圧着状態を形成するべくそのタックに沿って互いに接続される。このため、各膨張可能領域１ａ，１ｂは、膨張状態において車両乗員の最適保護を確保するように構成されている。
【００６７】
更に、図１４によれば、付加的な（膨張可能とされていない第３の）領域１ｃ（船帆の形態）が設けられており、当該領域は、三角形状の材料片又は布地片から形成され、またしたがって特に車両の三角窓を被覆するのに適している。
【００６８】
例えば、前述の図１４、図１５ａ及び図１６ａのように、エアバッグ装置の構成要素の一部が非接続状態で示されている図面では、ここで示されるタックＡ及び縫い目Ｎはそれぞれ、エアバッグ装置の個別の構成要素の接合後に、該当するタックＡ及び縫い目Ｎが存在する位置を示している。これらは、図１４、図１５ａ及び図１６ａに示される状態では、エアバッグ装置の個別の構成要素において未だ形成されていない。
【００６９】
図１５ａ及び図１５ｂにおいて、頭部保護の機能を果たすエアバッグ装置の別実施の形態が示されており、図１５ａには前記エアバッグ装置の構成部品が個別に示されており、図１５ｂにはこのエアバッグ装置が組み付け状態にて示されている。
【００７０】
図１５ａ及び図１５ｂに示されている装置の特徴として、一片の材料片（特には、一片の布地片）は、膨張可能なエアバッグ領域１ａ，１ｂを形成し、エアバッグ領域１ａ，１ｂの接続チャンネル２、及びガス発生器６の収容部５はそれぞれ、蝶形構造（バタフライ構造）を形成するように構成されている。これは、個別の材料片はそれぞれ、２つの材料層、又はより具体的には布地層１０ａ，１０ｂ，２０又は５０を備え、これらは本質的に同様の構成、すなわち所定の対称軸１１，２１又は５１に関して鏡面対称とされ、その対称軸に沿って２つの層１０ａ，１０ｂ，２０，５０が互いに接続される。従って、これら２つの層は、それぞれの材料片においては、外見上、蝶形状の羽部分を形成し、各対称軸１１，２１，５１に沿って互いに一体状に形成される。
【００７１】
また、エアバッグ装置を車両構造部、特にルーフの縁部領域に取り付けるための複数の取り付けフラップ４が設けられており、ここでは、これら取り付けフラップが鏡面対称とされる。更に、前記複数の取り付けフラップ４はそれぞれ、詳細には、以下に図２１ａから図２６ｂによって説明される少なくとも１つの開口４５を備えている。
【００７２】
図１５ｂによって明確化されるように、車両長軸ｘに沿って互いに離間した２つの膨張可能領域１ａ，１ｂを膨張させる機能を果たすガス発生器６が、ここでは柔軟な収容部５を使用して接続チャンネル２に配設され、この接続チャンネルが２つの膨張可能領域１ａ，１ｂをガス誘導ないしガス流通の形態で接続している。エアバッグ装置、特にエアバッグ装置の接続チャンネル２におけるガス発生器６の詳細配置は、図２７から図３３に示されており、また当該図面によって以下に説明される。
【００７３】
図１５ａ及び図１５ｂの概要によって示されるように、膨張可能領域１ａ，１ｂ及び接続チャンネル２を形成する材料片又は布地片は、それぞれ折り畳み線１１又は２１としての対称線に沿って一度折り返され、そしてその後に、縫い目Ｎを形成する外側境界部に沿って互いに縫い付けられ、これにより２つの膨張可能領域１ａ，１ｂは、前記膨張可能領域に接続される接続チャンネル２とともに、（流通）接続を形成する。
【００７４】
従って、図１５ａ及び図１５ｂに示すエアバッグ装置が車両に組み付けられた場合には、対称軸又は折り畳み線１１，２１は、図１３を参照すれば、車両の側方ルーフ縁部ＤＫに沿って延在する。同様に、取り付けフラップ４は、前記対称軸又は折り畳み線１１，２１の領域において、膨張可能領域１ａ，１ｂに固定され（より詳細には、以下に図２１ａから図２６ｂによって説明される）、可能な場合は接続チャンネル２に固定され、取り付けフラップ４を介して、車両への、特には車両の側方ルーフ縁部領域へのエアバッグ装置の取り付けが生じる。
【００７５】
図１６ａ及び図１６ｂには、図１５ａ及び図１５ｂの実施形態の変更例が示されており、実際の本質的な相違点として、互いに離間した２つの膨張可能領域１ａ，１ｂを膨張させる機能を果たすガス発生器６は、接続チャンネル２には配置されず、２つの膨張可能領域１ａ，１ｂのうちのいずれか一方に配置されている。このため、ガス発生器６を収容する収容部は、境界を規定する縫い目Ｂによって前記膨張可能領域１ａに形成されている。
【００７６】
更に、図１６ａには、ガス発生器６用の保護層スリーブ８と包帯２００が、それぞれ平坦状に広げられた状態で示されており、その機能の更なる詳細については、図２９ａから図３１ｂ、又は図２７によってそれぞれ、以下に説明される。
【００７７】
図１５ａ及び図１５ｂに示すエアバッグ装置の場合には、図１６ａ及び図１６ｂに示すエアバッグ装置の場合と同様に、エアバッグ装置の２つの膨張可能領域１ａ，１ｂは、接続チャンネル２と同様に、それぞれ材料片又は布地片から個別に製造可能とされ、この目的のために設けられた軸又は折り畳み線まわりに折り畳まれることによって、またその後に、結果として対向する材料層１０ａ，１０ｂ又は２０を互いに縫合することによって、或いたそれらを別の方法で接続することによって、膨張可能なエアバッグ領域又は接続チャンネルがそれぞれ形成される。このため、製造上の外観に関しては、できる限り直線状の縫い目を使用するのが有利とされる。その後、エアバッグ装置の予め組み付けられた構成要素は、例えば縫合によって、或いは、以下に更に詳細に説明されるいずれかの方法で、互いに接続される。
【００７８】
同様に、図１７ａに示す装置では、一方ではエアバッグ装置の前側の膨張可能領域１ａは、他方ではエアバッグ装置の後側の膨張可能領域１ｂと同様に、該当する接続チャンネル２との間でそれぞれモジュールを形成し、所定のモジュールは、取り付けフラップ４、及び圧着のためのタックＡを含んでいる。これら２つのモジュールは、その後に形状フィットの形態（形状が互いに適合する形態）で接続され、この形態では、接続チャンネル２は、ループ１３と第１の膨張可能領域１ａの後側に設けられた凹部１３ａとに挿通され、図１７ｂが参照されるように、その目的において設けられた第１の膨張可能領域１ａの（環状に閉じられた）タック１３ｂを有する前端部に対して拡張部２３が係合する。このため、エアバッグ装置の第１の膨張可能領域１ａでのループ１３は、接続チャンネル２及び第１の膨張可能領域１ａの相対的な位置を規定する。更に、第１の膨張可能領域１ａ及び接続チャンネル２は、縫い目又は別の接続手段によって接続可能とされる。
【００７９】
図１８ａ及び図１８ｂには、図１７ａ及び図１７ｂの装置の変更例が示されており、実際の本質的な相違点では、図１８ａから図１８ｂへの経過が参照されるように、第２のモジュールと一体化された接続チャンネル２を介して２つモジュールが接続される前に、２つのモジュールの膨張可能領域１ａ，１ｂはそれぞれ、既に（長尺状の）エアバッグ包体へと折り畳まれ、折り畳まれたエアバッグ包体として（ホース状の）保護カバーＨ内に配置されている。
【００８０】
最後に、図１９には、エアバッグ装置の膨張可能領域１ａに接続チャンネル２を形状フィットの形態で配置するための別の可能性が示されており、ここでは接続チャンネル２が、膨張可能領域１ａの貫通口１４の縁部において拡張された端部２４と係合し、当該貫通口を通じて前記接続チャンネル２が延在している。
【００８１】
図２０ａから図２０ｃには、エアバッグ装置の接続要素の別の変更例が示されている。
【００８２】
図２０ａによれば、ガス発生器６から複数の取り付けボルト６６が突出しており、これら取り付けボルトはそれぞれ、エアバッグ装置の第１の膨張可能領域１ａにおいて、また所定のモジュールを形成するべく第２の膨張可能領域１ｂに結合されたエアバッグ装置の接続チャンネル２においても同様に、取り付け開口を通じて延在している。取り付けボルトに螺合するナットを使用することによって、第１の膨張可能領域１ａと接続チャンネル２との間に、従ってガス発生器６の領域に接続チャンネル２を備えるモジュール全体に、所定の接続が形成される。
【００８３】
図２０ｂ及び図２０ｃによれば、エアバッグ装置のうち互いに離間する２つの膨張可能領域１ａ，１ｂはそれぞれ、２つの膨張可能領域１ａ，１ｂの他方に向けて配置される接続部１２（接続領域）を備えている。これら２つの接続部１２は、更に接続管１２０を使用することで２つの膨張可能領域１ａ，１ｂを連通する接続領域を、より具体的には、流体に関し連通する接続領域を互いに形成している。
【００８４】
両接続部１２は、環状（リング状）の取り付け要素２７又は２８によって接続管１２０に接続され、当該取り付け要素は、両接続部１２の少なくとも１つの挿入状態において接続管１２０を環状の形態で取り囲み、このため各接続部１２を接続管１２０に取り付ける。
【００８５】
図２０ｂに示す実施形態の場合には、取り付けリング２７自体が２つの接続部１２のそれぞれに係合しており、図２０ｃに示す実施形態の場合には、１つの（単一の）取り付けリング２８が、両接続部１２を接続管１２０に取り付けている。
【００８６】
図２１ａから図２１ｃには、取り付けフラップ４の第１の実施形態が示されており、当該取り付けフラップは、図１２から図１８ｂに示される種類のエアバッグ装置を、車両構造部又は構造部のうちの該当する接続部分に取り付ける機能を果たす。
【００８７】
図２１ａから図２１ｃによれば、取り付けフラップ４はそれぞれ二層構造とされ、各取り付けフラップ４の（例えば布地層の形態の）２つの材料層４０（互いに鏡面対称に構成されている）が、所定の対称軸又は蝶形状の原理の折り畳み線４１に沿って互いに一体状に接続されており、これにより二層状の取り付けフラップ４はそれぞれ一片構造とされる。
【００８８】
取り付けフラップ４がそれぞれ、エアバッグ装置のうち該当する構成要素、例えば膨張可能領域１ａ，１ｂのいずれか一方又は接続チャンネル２に固定されており、このとき取り付けフラップ４の２つの層４０のそれぞれは、図１５ａ及び図１６ａが参照されるように、対応する構成要素１ａ，１ｂ，２の層１０ａ，１０ｂ又は２０に接続される。
【００８９】
従って、取り付けフラップ４の各層４０は、縫い目４６（「接続線」、「接合線」ないし「継ぎ目」ともいう）を介してエアバッグ装置のうち該当する構成要素１ａ，１ｂ又は２のうちの所定の層に固定され、当該縫い目は、図２１ａから図２１ｃの実施形態では、エアバッグ装置のうち該当する構成要素１ａ，１ｂ，２のそれぞれの対称軸又は折り畳み線１１，２１に対して（例えば４５の角度で）傾斜状に延在している。取り付けフラップ４の各材料層４０を、エアバッグ装置の構成要素１ａ，１ｂ，２の該当する材料層１０ａ，１０ｂ，２０に接続するべく、前記縫い目４６を形成した後には、取り付けフラップ４の２つの材料層４０のそれぞれは、傾斜状に延在する前記縫い目４６まわりに自由端部（取り付け部）において折り畳まれ、これにより複数の層４０はそれぞれ、エアバッグ装置のうち該当する構成要素１ａ，１ｂ，２の対称軸又は折り畳み線１１，２１の上方に自由端が配置される。
【００９０】
取り付けフラップ４のうち取り付け部としての機能を有する自由端部はそれぞれ、取り付け開口４５を備えており、２つの層４０の取り付け開口４５は、縫い目４６まわりに折り畳まれた状態では、互いを被覆し、或いは互いに合致し、これにより例えばネジ又はリベットによる車両構造部への取り付けのための連続状（貫通状）の取り付け開口を形成する。
【００９１】
図２５には、図２１ａから図２１ｃに示されている種類の取り付けフラップ４が、互いに離間して配置された２つの膨張可能領域１ａ，１ｂと、２つの膨張可能領域１ａ，１ｂを接続する接続チャンネル２を有するエアバッグに適用された場合が示されている。従って、前述の種類の取り付けフラップ４は、膨張可能領域１ａ，１ｂの両方に、また接続チャンネル２に、即ち、各構成要素１ａ，１ｂ，２のうち、対称軸又は折り畳み線１１，２１によって典型的に形成される上縁部の領域に設けられている。
【００９２】
図２２ａから図２２ｃには、図２１ａから図２１ｃに示される装置の更なる別の変更例が示されており、実際の相違点としては、図２２ａから図２２ｃによれば、取り付けフラップ４をエアバッグ装置のうち該当する構成要素１ａ，１ｂ又は２に取り付ける縫い目４７（「接続線」、「接合線」ないし「継ぎ目」ともいう）は、曲線状の縫い目として、ここで具体的には所定の環状経路に沿って円弧状の形態で延在する縫い目として形成されている。このため、取り付けフラップ４の２つの材料層４０の自由端部を異なる折り畳み角度で折り畳むことができ、取り付け用の縫い目４７の領域のまわりにおいて当該縫い目に依存して自由端部が折り畳まれる。
【００９３】
各取り付けフラップ４が割り当てられるエアバッグ装置の構成要素１ａ，１ｂ，２が、対称軸又は折り畳み線を有する蝶形状の原理の構成要素でない場合には、構成要素１ａ，１ｂ，２のうち車両のルーフ縁部に割り当てられる上側境界部／上側縁部の領域に各取り付けフラップ４が一般的に有利に取り付けられ、また、対応する縫い目４６，４７は、このときに（図２１ａから図２１ｃ又は図２２ａから図２２ｃの実施形態においては、特に、対称軸又は折り畳み線１１，２１によって形成される）各構成要素１ａ，１ｂ，２の上側縁部に対して傾斜状又は曲線状に延在している。通常は、車両のルーフ縁部領域に割り当てられた頭部保護装置としての機能を果たすエアバッグ装置における任意の上側縁部とすることもできる。
【００９４】
勿論、エアバッグ装置の別の領域、例えば側方縁部、又は車両床面に対向し、例えばエアバッグ装置への組み込み状態において車両ドアのドアレールの領域にある下側縁部に、取り付けフラップ４を設けることもできる。
【００９５】
図２３ａから図２３ｄには、取り付けフラップ４の変更例が示されており、当該取り付けフラップは、膨張可能領域１の上側縁部１１（例えば、対称軸又は折り畳み線の形態）、又はエアバッグ装置の他方構成要素に平行に延在する縫い目４８（「接続線」、「接合線」ないし「継ぎ目」ともいう）によって固定され、すなわち一体状の二層の取り付けフラップ４の各層４０は、エアバッグ装置のうち該当する構成要素の各材料層に固定される。このため、取り付けフラップ４は、その固定状態でループ（環状部分）を形成し、このループは、例えば取り付けボルト、ネジ又はリベットによって車両構造部への取り付けを可能とする取り付け開口４５を有する。
【００９６】
図２１ａから図２１ｃ及び図２２ａから図２２ｃによって示される取り付けフラップとは対照的に、自由端部をその作用位置に設定するべく折り畳まれないが、図２３ａから図２３ｄの取り付けフラップ４は、その２つの層４０がそれぞれエアバッグ装置の該当する構成要素１に直に固定された後に所定の取り付け部を有し、当該取り付け部は、取り付け開口４５を備え、且つ、前記構成要素１の上側縁部１１を越えて突出し、取り付けフラップ４の折り畳み線４１によって他の部位との間での範囲が定められる。
【００９７】
図２４ａから図２４ｄには、図２３ａから図２３ｄの装置の変更例が示されており、実際の本質的な相違点として、取り付けループの形態の取り付けフラップ４の取り付けのために、ここでは所定の環状経路に沿って延在する円弧状の形態の曲線状の縫い目が用いられている。
【００９８】
最後に、図２６ａ及び図２６ｂには、特に縫合による片面固定の取り付けフラップ４が示されており、当該取り付けフラップは、エアバッグ装置の（二層状の）構成要素１の上側縁部１１の領域において前記構成要素１に取り付けられ、すなわちエアバッグ装置の前記構成要素１の２つの層１０を互いに同時に接続し、このため前記構成要素１での圧着状態を規定する縫い目４７’（「接続線」、「接合線」ないし「継ぎ目」ともいう）が使用される。ここでは、膨張可能なエアバッグ領域を形成する構成要素１を可能ならば折り畳んだ後に、取り付けフラップ４が接続される。
【００９９】
図２７には、例えば、前述の種類のエアバッグ装置の（接続チャンネルの）形態の接続領域の断面が示されており、そこにガス発生器６が配置される。ガス発生器６は、図３２ａから図３２ｃにも示されるように、例えば金属材料からなる（ここでは寸法安定性を有する一方で柔軟構造も可能な）管状収容体７内に配置されている。管状収容体７は、ここでは管状のガス発生器としてリング状の構成されるガス発生器６を取り囲み、これによりガス発生器６から放出されたガスは、最初に管状収容体７の内部へと流れ、その後に管状収容体の前面ないし端面にある前面側の流出開口を通じて軸方向に流出し、ここで例えば図３２ｃに示されるような２つの前面側の流出開口７１，７２のそれぞれを、エアバッグ装置の膨張可能領域に割り当てることができる。
【０１００】
ガス発生器６は、衝突の際にセンサ制御の形態でガス発生器６を点火可能とする点火ケーブル６２用の電気接続部６１を備えている。点火ケーブル６２は、ガス発生器６の軸端部において電気接続部６１から径方向（放射方向）に延在し、ガス発生器６及び管状収容体７を外れて、管状収容体７の外側の接続領域２によって囲まれた空間領域へと延在し、更に軸領域内へと延在している。接続チャンネル２を取り囲む包帯２００によって、点火ケーブル６２は、ガス発生器６を制御する電子制御機器との電気的接続を形成するべく、接続領域２によって囲まれた空間から外へシール状（気密状）に導出可能とされる。
【０１０１】
管状収容体７は、接続領域２とガス発生器６との間に配設されており、従って接続領域２自体は、この接続領域２を取り囲む包帯２００とともに、ガス発生器６から突出する取り付けボルト６６及びそれに関連するナットを介してガス発生器６に接続されており、これにより前記構成要素６，７，２，２００によって所定の構造ユニットを形成する。
【０１０２】
図３２ａから図３２には、ガス発生器６と、寸法的に安定した管形状又は円筒形状（樽形状）の収容体７とから形成されたアセンブリが再び詳細に示されており、すなわち図３２ａには２つの単一部材の形態が、図３２ｂ及び図３２ｃには断面が長円形の管状収容体７が、ガス発生器６から突出する取り付けボルト６６及びそれに関連するナットによって、ガス発生器６に取り付けられた組み付け状態が示されている。
【０１０３】
特に図３２ｃによって明確化されるように、管状収容体７は、例えばガス発生器６自体と同様の長さを越えてガス発生器６の軸方向に延在しており、ガス発生器６の作動時に流出開口６０を通じて流出したガスＧをガス発生器の側方領域にて移送する機能を果たし、このとき管状収容体７によってガスが軸方向に偏向され、また従って２つの部分的なガス流に分散される。このとき、これら２つの部分的なガス流は、軸方向に関し互いに反対方向に円筒形状の収容体７の２つの対向する前面側の流出開口７１，７２の外へと形成され、そこから膨張されるエアバッグ装置の各領域へと流入可能とされる。
【０１０４】
図２８ａ及び図２８ｂには、管形状は円筒形状（樽形状）のガス流分散器７１の２つの別実施の形態が示されており、それぞれの場合に、少なくとも１つの取り付けボルト６６によってガス発生器６に取り付けられ、またガス発生器６から流出したガス流Ｇを、各流出開口７１，７１’又は７２を通じてガス発生器６から流出する２つの部分的なガス流Ｇ１，Ｇ２に分散させる。従って、図２８ａ及び図２８ｂの場合において、各ガス流分散器７１は、ガス発生器６の軸方向に関する全長を越えては延在していない。
【０１０５】
図２８ａ及び図２８ｂの実施形態は、一方では図２８ａの場合にガス発生器６の複数の流出開口６０が当該ガス発生器の側面に設けられているのに対して、図２８ｂの場合には、それら流出開口がガス発生器の前面ないし端面に設けられている点において互いに相違している。更なる別の相違点として、図２８ｂの場合には、ガス流分散器７１の前面側の２つの流出開口７１’，７２が異なる流出領域を備えており、これによりエアバッグ装置の２つの膨張可能領域が異なる量のガスで充填可能とされる。
【０１０６】
そのようなガス流分散器についての更なる詳細は、例えばＷＯ／２００７／０６２８４７  Ａ１に記載されている。
【０１０７】
図２９ａ及び図２９ｂには、エアバッグ装置の接続チャンネル２に配置されたガス発生器が、防炎部又は高圧保護部としての保護層スリーブ８によって取り囲まれている装置が示されており、当該保護層スリーブが断面においてガス発生器６のまわりに螺旋状に巻き付けられている。保護層スリーブ８は、取り付けボルト６６によって接続チャンネル２とともにガス発生器６に取り付けられている。
【０１０８】
図３０ａ及び図３０ｂには、図２９ａ及び図２９ｂに示す装置において、エアバッグ装置を膨張させるべくガス発生器６からガス流Ｇが流出する状態が示されており、保護層スリーブ８は、巻き出され、また接続チャンネル２の内面に対して外方へと押圧されている。
【０１０９】
これに関し、図２９ａ及び図３０ａでは、保護層スリーブ８がガス発生器６及び接続チャンネル２とともに示されているのに対して、図２９ｂ及び図３０ｂの斜視図では、明瞭化のために、保護層スリーブ８のみが、或いは取り付けボルト６６とともに示されている。
【０１１０】
図３１ａ及び図３１ｂには、保護層スリーブ８の一実施の形態が示されており、その保護層スリーブは巻き付け状態において軸方向に突出する固定部８５を備え、巻き付け状態の保護層スリーブが開裂継ぎ目８によって当該固定部に一時的に固定可能とされる。ガス発生器から流出したガスによって、図３１ａ及び図３１ｂの保護層スリーブ８に高圧化されたガス圧が作用した場合には、接続部が開裂継ぎ目８６に沿って開裂する。これにより、図３０ａ及び図３０ｂによって説明されたように、保護層スリーブ８の巻き出し、及び径方向（放射方向）への展開が許容される。
【０１１１】
最後に、図３３には防炎構造が示されており、この防炎構造は（接続チャンネルの形態の）接続領域２の内部に配置された布地ホース９によって達成され、その布地ホースは、その内面に耐熱材料層９ａが設けられ、或いはその内面が耐熱材料層９ａで被覆される。この布地ホースが、接続領域２の内側に配置されたガス発生器に対向する。
【０１１２】
前述の図面によって説明されたエアバッグ装置は、頭部エアバッグの変更例として構成可能とされ、或いは特に図２７によって説明されたようなガス発生器の領域でシールされるシールシステムとしても構成可能とされる。
【０１１３】
製造に特に適した構成として、各組み立てキットの構成要素は、同時に接合可能とされ、またいわゆるポカヨケの特徴で製造可能とされる。
【０１１４】
上述のアセンブリは、例えば、点火型、ハイブリッド型、冷却型のガス発生器のような全てのタイプのガス発生器の原理において具現化が可能である。
【０１１５】
本発明では「特に車両用のエアバッグモジュールであって、人を保護するべく膨張可能なエアバッグ（１０）と、前記エアバッグ（１０）を膨張させるべくガス充填が可能とされた前記エアバッグ（１０）の内部空間（Ｉ）を規定する、前記エアバッグ（１０）のエアバッグカバー（２０）と、前記エアバッグ（１０）を膨張させるのに必要なガスを供給するためのガス発生器（３０）と、前記エアバッグ（１０）の前記内部空間（Ｉ）への前記ガス発生器（３０）の挿入を許容し、これにより前記ガス発生器（１０）で発生したガスが前記エアバッグ（１０）の前記内部空間（Ｉ）に流入するのを可能とする、前記エアバッグカバー（２０）の挿入開口（２１）と、前記挿入開口（２１）を規定し、前記ガス発生器（３０）を環状に取り囲む境界領域（２２）と、前記挿入開口（２１）をシールするためのシール手段（４０）とを備え、前記シール手段（４０）は、前記シール手段（４０）が前記ガス発生器（３０）で発生したガスによって拡張されるとともに、前記挿入開口（２１）をシールするべく前記挿入開口（２１）の前記境界領域（２１）に対し押圧されるように、前記境界領域（２２）と前記ガス発生器（３０）との間に配置されていることを特徴とするエアバッグモジュール」という態様（態様１）を採り得る。
また本発明では、「態様１に記載のエアバッグモジュールであって、前記シール手段（４０）は、前記ガス発生器（３０）を一周する中間部（４２）が前記挿入開口（２１）の前記境界領域（２２）に対し押圧されることを特徴とするエアバッグモジュール」という態様（態様２）を採り得る。
また本発明では、「態様１又は２に記載のエアバッグモジュールであって、前記ガス発生器（３０）は、挿入方向（２３）に沿って前記挿入開口（２１）に挿入されることを特徴とするエアバッグモジュール」という態様（態様３）を採り得る。
また本発明では、「態様２または３に記載のエアバッグモジュールであって、前記挿入方向（２３）に垂直な横断面に関し、前記シール手段（４０）の前記中間部（４２）の断面が拡張することを特徴とするエアバッグモジュール」という態様（態様４）を採り得る。
また本発明では、「態様１から４のうちのいずれかに記載のエアバッグモジュールであって、前記ガス発生器（３０）で発生したガスは、前記ガス発生器（３０）の少なくとも１つの流出開口（３１）を通じて前記ガス発生器（３０）から流出可能であることを特徴とするエアバッグモジュール」という態様（態様５）を採り得る。
また本発明では、「態様２、４ないし５に記載のエアバッグモジュールであって、前記シール手段（４０）の前記中間部（４２）は、前記ガス発生器（３０）の少なくとも１つの流出開口（３１）に関し、前記少なくとも１つの流出開口から流出したガスが前記中間部（４２）に衝突するよう配置され、前記中間部（４２）が前記横断面に関し断面を拡張することを特徴とするエアバッグモジュール」という態様（態様６）を採り得る。
また本発明では、「態様１から６のうちのいずれかに記載のエアバッグモジュールであって、前記シール手段（４０）は、クランプ要素（５０）によって前記ガス発生器（３０）に固定されていることを特徴とするエアバッグモジュール」という態様（態様７）を採り得る。
また本発明では、「態様２、又は態様２に従属の態様３から７のいずれかに記載のエアバッグモジュールであって、前記シール手段（４０）は、前記中間部（４２）に接続された第１端部（４１）を備え、前記第１端部が特に前記中間部（４２）と一体状に形成されていることを特徴とするエアバッグモジュール」という態様（態様８）を採り得る。
また本発明では、「態様７または８に記載のエアバッグモジュールであって、前記クランプ要素（５０）は、前記ガス発生器（３０）に対し前記第１端部（４１）を押圧する構成とされ、これにより前記シール手段（４０）は、前記シール手段（４０）の前記第１端部（４１）が前記ガス発生器（３０）に対し強く当接することを特徴とするエアバッグモジュール」という態様（態様９）を採り得る。
また本発明では、「態様８又は９に記載のエアバッグモジュールであって、前記シール手段（４０）の前記第１端部（４１）は、前記エアバッグ（１０）の前記内部空間（Ｉ）の外側に配置されることを特徴とするエアバッグモジュール」という態様（態様１０）を採り得る。
また本発明では、「態様１から１０のうちのいずれかに記載のエアバッグモジュールであって、前記シール手段（４０）は、少なくとも１つの柔軟な材料層（４５）から形成されていることを特徴とするエアバッグモジュール」という態様（態様１１）を採り得る。
また本発明では、「態様１１に記載のエアバッグモジュールであって、前記材料層（４５）の少なくとも１つの部位（４５ａ）は、前記シール手段（４０）を形成するべく巻き付け方向（４６）に沿って巻き上げられ、これにより前記材料層（４５）は、前記ガス発生器（３０）用の収容部（４８）を規定する前記シール手段（４０）の環状壁部（４７）を形成することを特徴とするエアバッグモジュール」という態様（態様１２）を採り得る。
また本発明では、「態様２ないし１２に記載のエアバッグモジュールであって、前記シール手段（４０）の前記中間部（４２）が、前記巻き付け方向（４６）に沿って一周していることを特徴とするエアバッグモジュール」という態様（態様１３）を採り得る。
また本発明では、「態様１１ないし１２又は１３に記載のエアバッグモジュールであって、前記材料層（４５）は、前記巻き付け方向（４６）に沿って重なり、これにより前記壁部（４７）は、特に互いの表面に位置する２つの層（４００，４０１）を有することを特徴とするエアバッグモジュール」という態様（態様１４）を採り得る。
また本発明では、「態様１２から１４のうちのいずれかに記載のエアバッグモジュールであって、前記壁部（４７）は、前記巻き付け方向（４６）に沿って延在するその全外周に沿って、前記材料層（４５）のうち互いの表面に位置する少なくとも２つの層を有することを特徴とするエアバッグモジュール」という態様（態様１５）を採り得る。
また本発明では、「態様３ないし態様１２から１５のうちのいずれかに記載のエアバッグモジュールであって、前記巻き付け方向（４６）が前記挿入方向（２３）に交差して延在することを特徴とするエアバッグモジュール」という態様（態様１６）を採り得る。
また本発明では、「態様８ないし態様１２から１６のうちのいずれかに記載のエアバッグモジュールであって、前記材料層（４５）のうち互いの表面に位置し前記壁部（４７）を形成する層（４００，４０１）は、前記シール手段（４０）の前記第１端部（４１）が前記シール手段（４０）の前記中間部（４２）よりも拡張せず、また特には拡張しないよう、特に縫い目としての接続部（Ｖ）によって互いに接続されていることを特徴とするエアバッグモジュール」という態様（態様１７）を採り得る。
また本発明では、「態様８から１７のうちのいずれかに記載のエアバッグモジュールであって、前記シール手段（４０）の前記第１端部（４１）は、前記エアバッグ（１０）の前記内部空間（Ｉ）内に配置される前記シール手段（４０）の第２端部（４３）に前記中間部（４２）を介して接続され、前記シール手段（４０）の前記第２端部（４３）は、特に前記シール手段（４０）の前記中間部（４２）と一体状に形成されていることを特徴とするエアバッグモジュール」という態様（態様１８）を採り得る。
また本発明では、「態様１１ないし１８に記載のエアバッグモジュールであって、前記材料層のうち前記壁部（４７）を形成し互いの表面に位置する層（４００，４０１）は、前記第２端部（４３）が前記シール手段（４０）の前記中間部（４２）よりも拡張せず、また特には拡張しないよう、前記第２端部（４３）で特に縫い目の形態の接続部（Ｖ’）によって互いに接続されていることを特徴とするエアバッグモジュール」という態様（態様１９）を採り得る。
また本発明では、「態様１８又は１９に記載のエアバッグモジュールであって、前記シール手段（４０）は、前記第２端部（４３）を介して前記エアバッグカバー（２０）に取り付けられていることを特徴とするエアバッグモジュール」という態様（態様２０）を採り得る。
また本発明では、「態様１８又は１９に記載のエアバッグモジュールであって、前記ガス発生器（３０）で発生したガスを拡散させるべく、ディフューザ（３３）が前記シール手段（４０）の前記第２端部（４３）と一体状に形成され、前記シール手段は、特に前記ディフューザを介して前記エアバッグカバー（２０）に取り付けられていることを特徴とするエアバッグモジュール」という態様（態様２１）を採り得る。
また本発明では、「態様１１ないし２１に記載のエアバッグモジュールであって、前記ディフューザは、前記材料層（４５）の所定の部位（４５ｂ）から形成され、前記部位（４５ｂ）は、前記ディフューザ（３３）を形成するべく折り畳み軸（３４）に沿って互いの表面が折り畳まれることを特徴とするエアバッグモジュール」という態様（態様２２）を採り得る。
また本発明では、「態様１１、又は態様１１に従属の態様１２から２１のいずれかに記載のエアバッグモジュールであって、前記材料層（４５）は、特に前記エアバッグカバー（２０）が製造されるエアバッグ材料からなることを特徴とするエアバッグモジュール」という態様（態様２３）を採り得る。
また本発明では、「態様１から２３のうちのいずれかに記載のエアバッグモジュールであって、前記ガス発生器（３０）は、所定の延在方向（Ｅ）に沿って長尺状に延在し、特に管状のガス発生器として構成されていることを特徴とするエアバッグモジュール」という態様（態様２４）を採り得る。
また本発明では、「態様３ないし２４に記載のエアバッグモジュールであって、前記延在方向（Ｅ）が前記挿入方向（２３）に一致することを特徴とするエアバッグモジュール」という態様（態様２５）を採り得る。
また本発明では、「態様３ないし８、又は態様８に従属の態様９から２５のうちのいずれかに記載のエアバッグモジュールであって、前記ガス発生器（３０）は、前記ガス発生器（３０）が自由端部（３２）にて前記エアバッグ（１０）の前記内部空間（Ｉ）外へ突出するよう、前記挿入開口（２１）を通じて前記エアバッグ（１０）の前記内部空間（Ｉ）に挿入されることを特徴とするエアバッグモジュール」という態様（態様２６）を採り得る。
【０１１６】
また本発明では、「態様３ないし８、又は態様８に従属の態様９から２６のうちのいずれかに記載のエアバッグモジュールであって、前記シール手段（４０）の前記第１端部（４１）は、前記ガス発生器（３０）を前記挿入開口（２１）に挿入するべく漏斗形状とされていることを特徴とするエアバッグモジュール」という態様（態様２７）を採り得る。
また本発明では、「態様３、又は態様３に従属の態様４から２７のうちのいずれかに記載のエアバッグモジュールであって、前記エアバッグカバー（２０）は、少なくとも２つのエアバッグ部（２００，２０１）からなり、前記エアバッグカバー（２０）が平坦状に広げられ、平坦状に広げられた互いの表面に前記２つのエアバッグ部（２００，２０１）が位置する状態では、前記２つのエアバッグ部（２００，２０１）は、前記エアバッグカバーのうち前記挿入方向（２３）に沿って延在する最外周の境界部（２０２）に沿って互いに一体状に形成されていることを特徴とするエアバッグモジュール」という態様（態様２８）を採り得る。
また本発明では、「態様２８に記載のエアバッグモジュールであって、前記境界部（２０２）は、前記境界部（２０２）に交差して延在する切り欠き（２１０）を備え、これにより前記境界部（２０２）が第１及び第２の部位（２０２ａ，２０２ｂ）に分割され、前記第１の部位（２０２ａ）は前記エアバッグ（１０）の前記内部空間（Ｉ）に向けて折り込まれ、これにより前記切り欠き（２１０）が前記挿入開口（２１）を形成し、また前記シール部材（４０）の挿入時に折り込まれた前記第１の部位（２０２ａ）が前記ガス発生器（３０）に対し当接することを特徴とするエアバッグモジュール」という態様（態様２９）を採り得る。
また本発明では、「態様２９に記載のエアバッグモジュールであって、前記挿入方向（２３）に沿って前記挿入開口（２１）に対向するループ（２２０）が前記エアバッグカバー（２０）に取り付けられ、前記ループ（２２０）は、前記エアバッグカバー（２０）の前記境界部（２０２）の第１端部（２０２ａ）とともに、前記ガス発生器（３０）を、前記挿入方向（２１）に垂直に延在する平面に関し環状に取り囲むことを特徴とするエアバッグモジュール」という態様（態様３０）を採り得る。
また本発明では、「特に、態様１から３０のうちのいずれかに記載のエアバッグを製造するための方法であって、エアバッグ（１０）を膨張させるべくガス充填が可能とされた前記エアバッグ（１０）の内部空間（Ｉ）を規定する前記エアバッグ（１０）のエアバッグカバー（２０）を準備するステップと、シール手段（４０）を挿入開口（２１）へ挿入し、これにより前記挿入開口（２１）を規定する前記挿入開口（２１）の境界領域（２２）が、ガス発生器（３０）用の収容部（４８）を形成する前記シール手段（４０）の円周状の中間部（４２）を環状に取り囲むステップと、前記ガス発生器（３０）を前記シール手段（４０）の前記収容部（４８）に挿入し、前記ガス発生器（３０）で発生したガスは、前記エアバッグ（１０）の前記内部空間（Ｉ）に流入可能とされ、また前記中間部（４２）を拡張可能とし、また前記挿入開口（２１）の前記境界領域（２２）に対し前記中間部（４２）を押圧するステップと、を含むことを特徴とする方法」という態様（態様３１）を採り得る。
また本発明では、「態様３１に記載の方法であって、平坦状の材料層（４５）を準備するステップと、前記シール手段（４０）の円周状の壁部（４７）を形成するべく、前記材料層（４５）の少なくとも一部（４５ａ）を巻き付け方向（４６）に沿って巻き上げ、前記材料層（４５）が前記巻き付け方向（４６）に沿って重なり、これにより前記壁部（４７）に特に互いの表面に位置する２つの層（４００，４０１）を設けるステップと、前記巻き付け方向（４６）と交差する挿入方向（２３）に沿って、前記シール手段（４０）を前記挿入開口（２１）に挿入し、これにより前記挿入開口（２２）の前記境界領域（２２）が、前記シール手段（４０）の前記中間部（４２）において前記シール手段（４０）の前記壁部（４７）を環状に取り囲むステップと、を含むことを特徴とする方法」という態様（態様３２）を採り得る。
また本発明では、「態様３２に記載の方法であって、前記中間部（４２）を介して互いに接続される第１及び第２の境界部（４１，４３）が前記シール手段（４０）に設けられるよう、前記材料層（４５）が巻き上げられることを特徴とする方法」という態様（態様３３）を採り得る。
また本発明では、「態様３３に記載の方法であって、前記材料層（４５）のうち互いの表面に位置する層（４００，４０１）の領域が、接続部（Ｖ）によって前記シール手段（４０）の前記第１の境界部（４１）に互いに取り付けられ、前記シール手段（４０）の前記第１の境界部（４１）は、前記シール手段（４０）の前記中間部（４２）よりも拡張せず、また特には拡張しないことを特徴とする方法」という態様（態様３４）を採り得る。
また本発明では、「態様３３又は３４に記載の方法であって、前記材料層（４５）のうち互いの表面に位置する層（４００，４０１）の領域が、接続部（Ｖ’）によって前記シール手段（４０）の前記第２の境界部（４３）に互いに取り付けられ、前記シール手段（４０）の前記第２の境界部（４３）は、前記シール手段（４０）の前記中間部（４２）よりも拡張せず、また特には拡張しないことを特徴とする方法」という態様（態様３５）を採り得る。
また本発明では、「態様３１から３５のうちのいずれかに記載の方法であって、前記シール手段（４０）の前記中間部（４２）に関し、前記中間部（４２）が前記ガス発生器（３０）の少なくとも１つの流出開口（３１）に対向するよう、前記ガス発生器（３０）が配置されることを特徴とする方法」という態様（態様３６）を採り得る。
【符号の説明】
【０１１７】
１ａ，１ｂ  膨張可能領域（エアバッグ領域）
１ｃ  領域
１ｄ  領域
２  接続チャンネル（接続領域）
３  テンションバンド
４  取り付けフラップ
５  収容部
６  ガス発生器
７  管状収容体
８  保護層スリーブ
９  布地ホース
９ａ  耐熱材料層
１０  エアバッグ
１０  層
１０ａ，１０ｂ  材料層（布地層）
１１  対称軸（上側縁部）
１２  接続部（接続領域）
１３  ループ
１３ａ  凹部
１３ｂ  タック
１４  貫通口
２０  布地層
２０  エアバッグカバー
２１  挿入開口、対称軸
２２  境界領域
２３  挿入方向、拡張部
２４  端部
２７，２８  取り付け要素（取り付けリング）
３０  ガス発生器
３１  流出開口
３３  ディフューザ
３３ａ，３３ｂ，３３ｃ  境界部
４０  シール手段、材料層
４１  第１端部、折り畳み線
４２  中間部
４３  第２端部
４５  材料層、（取り付け）開口
４５ａ  第１の部位
４５ｂ  第２の部位
４５ｃ，４５ｄ  拡散部（材料ブリッジ部）
４６  巻き付け方向、縫い目（接続線）
４７  壁部、縫い目（接続線）
４８  収容部、縫い目（接続線）
４８ａ，４８ｂ  ガイド要素
４９  外周
５０  クランプ要素、布地層
５１  対称軸
６０  流出開口
６１  電気接続部
６２  点火ケーブル
６６  取り付けボルト
７１  流出開口（ガス流分散器）
７１’，７２  流出開口
８５  固定部
８６  開裂継ぎ目
１２０  接続管
２００  エアバッグ層、包帯
２０１  エアバッグ層
２０２  境界部
２０２ａ  第１の部位
２０２ｂ  第２の部位
２１０  切り欠き
２２０  ループ
２２０ａ，２２０ｂ  自由端部
４００，４０１  層
【図１】
0005406198.tif 000002
【図２】
0005406198.tif 000003
【図３】
0005406198.tif 000004
【図４】
0005406198.tif 000005
【図５】
0005406198.tif 000006
【図６】
0005406198.tif 000007
【図７】
0005406198.tif 000008
【図８】
0005406198.tif 000009
【図９】
0005406198.tif 000010
【図１０】
0005406198.tif 000011
【図１１】
0005406198.tif 000012
【図１２】
0005406198.tif 000013
【図１３】
0005406198.tif 000014
【図１４】
0005406198.tif 000015
【図１５ａ】
0005406198.tif 000016
【図１５ｂ】
0005406198.tif 000017
【図１６ａ】
0005406198.tif 000018
【図１６ｂ】
0005406198.tif 000019
【図１７ａ】
0005406198.tif 000020
【図１７ｂ】
0005406198.tif 000021
【図１８ａ】
0005406198.tif 000022
【図１８ｂ】
0005406198.tif 000023
【図１９】
0005406198.tif 000024
【図２０ａ】
0005406198.tif 000025
【図２０ｂ】
0005406198.tif 000026
【図２０ｃ】
0005406198.tif 000027
【図２１ａ】
0005406198.tif 000028
【図２１ｂ】
0005406198.tif 000029
【図２１ｃ】
0005406198.tif 000030
【図２２ａ】
0005406198.tif 000031
【図２２ｂ】
0005406198.tif 000032
【図２２ｃ】
0005406198.tif 000033
【図２３ａ】
0005406198.tif 000034
【図２３ｂ】
0005406198.tif 000035
【図２３ｃ】
0005406198.tif 000036
【図２３ｄ】
0005406198.tif 000037
【図２４ａ】
0005406198.tif 000038
【図２４ｂ】
0005406198.tif 000039
【図２４ｃ】
0005406198.tif 000040
【図２４ｄ】
0005406198.tif 000041
【図２５】
0005406198.tif 000042
【図２６ａ】
0005406198.tif 000043
【図２６ｂ】
0005406198.tif 000044
【図２７】
0005406198.tif 000045
【図２８ａ】
0005406198.tif 000046
【図２８ｂ】
0005406198.tif 000047
【図２９ａ】
0005406198.tif 000048
【図２９ｂ】
0005406198.tif 000049
【図３０ａ】
0005406198.tif 000050
【図３０ｂ】
0005406198.tif 000051
【図３１ａ】
0005406198.tif 000052
【図３１ｂ】
0005406198.tif 000053
【図３２ａ】
0005406198.tif 000054
【図３２ｂ】
0005406198.tif 000055
【図３２ｃ】
0005406198.tif 000056
【図３３】
0005406198.tif 000057